(57)【特許請求の範囲】
【請求項１】
本体を含み、前記本体の中には収納空間が設けられ、前記収納空間の右壁内部には右方に開口する開口溝が形成され、前記開口溝を設けることで、本願発明の修理と看板の取付に便利を与えられ、前記本体の右端には蓋板がヒンジを介して連結され、前記収納空間の下壁には環状のレールが設けられ、前記レールの頂部には複数の移動台が摺動可能に設けられ、前記移動台は前記レールに沿って前記収納空間の中で環状運動を行い、前記移動台の頂部には固定台が固定的に設けられ、前記固定台の上端には看板固定機構が設けられ、前記看板固定機構にはＬＥＤ看板が取り付けられ、前記収納空間の下壁には旋転プーリが回動可能に連結され、前記旋転プーリは四方に配列され、前記旋転プーリには旋転ベルトが伝動可能に連結され、前記旋転ベルトは前記レールと前記旋転プーリとの間に位置し、前記旋転プーリにおいて前記レールに近接する側には連結棒が設けられ、前記連結棒は前記移動台と固定的に連結され、前記収納空間の上壁内部には第一モータが固定的に設けられ、前記第一モータの底部は駆動軸と伝動可能に連結され、前記駆動軸は一つの前記旋転プーリと伝動可能に連結され、前記収納空間の上壁内部には展示空間が設けられ、前記展示空間の左壁には外部と連通する展示区が設けられ、ＬＥＤ看板が前記展示区で展示され、前記展示空間の中には昇降機構が設けられ、前記昇降機構は前記看板固定機構を昇降させられ、前記収納空間の底部にはプーリ空間が設けられ、前記プーリ空間の下側にはスプライン空間が設けられ、前記スプライン空間の下側には離合空間が設けられ、前記プーリ空間の右側には伝動空間が前記プーリ空間と連通になるように設けられ、前記伝動空間の中にはセルフロック機構が設けられ、前記本体の底部には移動機構が左右対称になるように設けられ、前記離合空間の中には前記移動機構の動力伝達を離合制御できる離合機構が設けられていることを特徴とするＬＥＤ看板の展示装置。
【請求項２】
前記蓋板の中には左方に開口する蓋板セルフロック空間が設けられ、前記蓋板セルフロック空間の上側には蓋板錠前空間が前記蓋板セルフロック空間と連通になるように設けられていることを特徴とする請求項１に記載のＬＥＤ看板の展示装置。
【請求項３】
前記固定台の中において前記旋転ベルトから離れた側には上方に開口する第一始動空間が設けられ、前記第一始動空間の下壁には第一圧縮ばねが固定され、前記第一圧縮ばねの上端には第一始動ブロックが固定され、前記固定台の中において前記旋転ベルトに近接する側には上方に開口する第二始動空間が設けられ、前記第二始動空間の下壁には第二圧縮ばねが固定され、前記第二圧縮ばねは前記第一圧縮ばねより弾性が弱く、前記第二圧縮ばねの上端には磁性を帯びた第二始動ブロックが固定され、前記第二始動ブロックの底面には牽引縄が固定され、前記牽引縄の他端は前記第一始動ブロックの底部に固定的に連結され、前記第二始動空間の頂部には第一セルフロック棒と第二セルフロック棒とが対称になるように設けられ、前記第一セルフロック棒と前記第二セルフロック棒との下端は前記固定台の上面とヒンジを介して連結され、前記第一セルフロック棒と前記第二セルフロック棒との下端にはいずれもセルフロック磁石が固定され、前記第一セルフロック棒と前記第二セルフロック棒とは引張ばねによって連結され、前記第一セルフロック棒と前記第二セルフロック棒とは前記引張ばねの牽引力により内側へ寄り、前記第一セルフロック棒と前記第二セルフロック棒との上端にはいずれもセルフロックヘッドが固定されていることを特徴とする請求項１に記載のＬＥＤ看板の展示装置。
【請求項４】
前記昇降機構は昇降空間と第二モータとを含み、前記昇降空間は底部が前記展示空間と連通しており、前記第二モータは前記昇降空間の上壁内部に固定的に嵌め込まれ、前記第二モータの下端には昇降軸が伝動可能に連結され、前記昇降軸の外面には昇降スライダがネジ山を介して連結され、前記昇降スライダは前記昇降空間と摺動可能に連結され、前記昇降スライダの頂部には引戻しばねが固定され、前記引戻しばねの頂部は前記昇降空間の上壁と固定的に連結され、前記第二モータが正回転すると、前記昇降スライダは自重により降下し、前記第二モータが逆回転すると、前記昇降スライダは前記引戻しばねの牽引力により上昇し、前記昇降スライダの下端には固定ブロックが固定され、前記固定ブロックの中には外方に開口する伸縮空間が左右対称になるように設けられ、前記伸縮空間の内壁には吸引電磁石が固定され、前記伸縮空間において前記吸引電磁石から離れた側には磁性を帯びた伸縮ブロックが摺動可能に連結され、前記吸引電磁石と前記伸縮ブロックとは伸縮ばねによって固定的に連結されていることを特徴とする請求項３に記載のＬＥＤ看板の展示装置。
【請求項５】
前記看板固定機構は看板固定本体を含み、前記看板固定本体において前記旋転ベルトから離れた側の端面の中には取付空間が設けられ、前記看板固定本体の中には固定空間が設けられ、前記固定空間の上壁内部には上方に開口する連通空間が設けられ、前記固定空間の内壁には固定磁石が対称になるように固定的に設けられ、前記固定磁石は前記伸縮ブロックを吸引することで前記伸縮ブロックを外側へ運動させて固定し、前記固定空間の下側には妨害板空間が設けられ、前記看板固定本体の下端には下方に開口するセルフロック空間が設けられ、前記セルフロック空間の内壁には錠前空間が対称になるように設けられ、はじめに前記看板固定本体は前記セルフロックヘッドにより前記固定台にセルフロックされ、前記固定空間と前記セルフロック空間とはコンロッド空間によって連通され、前記コンロッド空間は前記妨害板空間を貫通しており、前記コンロッド空間の中には上下方向に延在する第一コンロッドが摺動可能に連結され、前記妨害板空間の中には前記第一コンロッドと固定的に連結された妨害板が設けられ、前記妨害板の下端には妨害板圧縮ばねが固定され、前記妨害板圧縮ばねの下端は前記妨害板空間の下壁に固定されていることを特徴とする請求項４に記載のＬＥＤ看板の展示装置。
【請求項６】
前記セルフロック機構は第一従動軸、第二プーリ、第二従動軸、第一傘歯車、第二傘歯車、遠心輪を含み、前記第一従動軸の上端は前記伝動空間の頂部と回動可能に連結され、前記第二プーリは前記第一従動軸と固定的に連結され、前記プーリ空間の中には第一プーリが回動可能に連結され、前記第一プーリの上端は一つの前記旋転プーリと伝動可能に連結され、前記第一プーリと前記第二プーリとは第一ベルトによって伝動可能に連結され、前記第一傘歯車は前記第一従動軸と固定的に連結され且つ前記第二プーリの下側に位置し、前記第二従動軸の右端は前記伝動空間の右壁と回動可能に連結され、前記第二傘歯車は前記第二従動軸と固定的に連結され且つ前記第一傘歯車と噛み合い、前記遠心輪は前記第二従動軸と固定的に連結され且つ前記第二傘歯車の右側に位置し、前記遠心輪の中には複数の外方に開口する遠心空間が前記第二従動軸を中心に円周方向に配列され、前記遠心空間の内壁には遠心引張ばねが固定され、前記遠心引張ばねは他端に遠心ブロックが固定され、前記遠心輪が回転すると、前記遠心ブロックは遠心力により外側へ運動し、前記伝動空間の上側には右方に延在する推動空間が前記伝動空間と連通になるように設けられ、前記推動空間は右方に開口し、前記推動空間の中には右方に延在する蓋板セルフロック棒が設けられ、前記蓋板セルフロック棒の右端には蓋板錠前が固定され、前記推動空間の中には前記蓋板セルフロック棒を貫通する位置制限軸が固定され、前記位置制限軸は前記蓋板セルフロック棒と摺動可能に連結されていることを特徴とする請求項１に記載のＬＥＤ看板の展示装置。
【請求項７】
前記離合機構はスプライン筒、第三従動軸、第一摩擦盤、圧迫盤、第四従動軸、第二摩擦盤、第三プーリ、第四プーリを含み、前記スプライン筒は前記スプライン空間の中に位置し且つ上端が前記第一プーリの底面と固定的に連結され、前記第三従動軸の上端は前記スプライン筒とスプラインを介して連結され、前記第三従動軸が前記第一プーリの回転による動力を伝達すると同時に上下移動でき、前記第三従動軸の上端には離合引張ばねが固定され、前記離合引張ばねは他端が前記スプライン筒と固定され、前記第一摩擦盤は前記第三従動軸の下端に固定され、前記圧迫盤は前記第一摩擦盤の上側に位置し且つ前記第三従動軸と回動可能に連結され、前記圧迫盤の上端には圧迫盤引張ばねが固定され、前記圧迫盤引張ばねは上端が前記離合空間の上壁と固定的に連結され、前記圧迫盤の上端には環状の離合磁石が固定され、前記離合空間の上壁には前記離合磁石と対向する離合電磁石が固定的に設けられ、前記第四従動軸は前記離合空間の下壁と回動可能に連結され、前記第二摩擦盤は前記第四従動軸の上端に固定され、前記離合電磁石を作動させることで、前記圧迫盤は排斥力により前記第一摩擦盤を降下させられ、前記第一摩擦盤が前記第二摩擦盤と接触することで伝動でき、前記第三プーリは前記第二摩擦盤の下側に位置し且つ前記第四従動軸と固定的に連結され、前記第四プーリは前記第三プーリの下側に位置し且つ前記第四従動軸と固定的に連結されていることを特徴とする請求項６に記載のＬＥＤ看板の展示装置。
【請求項８】
前記離合空間の左壁内部には左方に延在する第一移動プーリ空間が前記離合空間と連通になるように設けられ、前記離合空間の右壁内部には右方に延在する第二移動プーリ空間が前記離合空間と連通になるように設けられ、前記第一移動プーリ空間の中には第五プーリが回動可能に連結され、前記第二移動プーリ空間の中には第六プーリが回動可能に連結され、前記第五プーリと前記第三プーリとは第二ベルトによって伝動可能に連結され、前記第六プーリと前記第四プーリとは第三ベルトによって伝動可能に連結されていることを特徴とする請求項７に記載のＬＥＤ看板の展示装置。
【請求項９】
前記移動機構は移動セルフロック空間と固定板空間とを含み、前記固定板空間は前記移動セルフロック空間の下側に位置し、前記移動セルフロック空間の中には移動昇降ブロックが設けられ、前記移動セルフロック空間の上壁内部には上下方向に延在する第六従動軸が回動可能に連結され、左側の前記第六従動軸は上端が前記第五プーリの底面と固定的に連結され、右側の前記第六従動軸は上端が前記第六プーリの底面と固定的に連結され、前記第六従動軸の底部には前記移動昇降ブロックがネジ山を介して連結され、前記移動昇降ブロックの上面には移動引張ばねが固定され、前記移動引張ばねの上端は前記移動セルフロック空間の上壁と固定され、前記移動昇降ブロックの自重により、前記第六従動軸が正回転すると前記移動昇降ブロックを降下させられ、前記移動引張ばねの牽引力により、前記第六従動軸が逆回転すると前記移動昇降ブロックを上昇させられ、前記移動昇降ブロックの下端には昇降板が固定され、前記昇降板の底部には昇降棒が左右対称になるように固定され、前記昇降棒には摩擦ブロックが固定され、前記摩擦ブロックは輪と接触したらセルフロックができ、前記移動セルフロック空間の中にはセンサが対称になるように固定され、前記センサは前記昇降棒の下側に位置し、前記昇降棒が前記センサと接触したら、前記離合電磁石は止め、前記離合機構は伝動しなく、前記移動機構はロック状態を保ち、前記固定板空間の中には固定板が固定され、前記固定板の下側には固定棒が固定され、前記固定棒には前記輪が回動可能に連結され、前記輪の頂部は前記移動セルフロック空間の中に位置することを特徴とする請求項８に記載のＬＥＤ看板の展示装置。
【発明の詳細な説明】
【技術分野】
【０００１】
本願発明は広告装置分野を取り上げ、特にＬＥＤ看板の展示装置に関わる。
【背景技術】
【０００２】
社会の発展につれ、ＬＥＤ看板はその汎用性や鮮明性などにより、多くの人々に利用され、しかし、伝統的な看板に対し、ＬＥＤ看板は高価で精密であり、使用環境が限られているため、一般的な看板のように、露天に置くと壊れやすい。ここで、展示装置の重要性が顕になる。しかし、ＬＥＤ看板は重量と体積が大きく、さらに通電している。既存するＬＥＤ看板の展示装置のほとんどは、取替不便や取替危険などの欠陥を有し、また、多くの展示装置は固定され、重くてコストパフォマンスが悪い。移動可能な展示装置もあるが、固定手段に欠けるため、やはり安全面から見ては好ましくない。
【先行技術文献】
【特許文献】
【０００３】
【特許文献１】中国特許出願公開第１０２９３０７９１号明細書
【発明の概要】
【発明が解決しようとする課題】
【０００４】
ＬＥＤ看板の展示装置を提供し、上記問題を解決することを目的とする。
【課題を解決するための手段】
【０００５】
本願に記載のＬＥＤ看板の展示装置は、本体を含み、前記本体の中には収納空間が設けられ、前記収納空間の右壁内部には右方に開口する開口溝が形成され、前記開口溝を設けることで、本願発明の修理と看板の取付に便利を与えられ、前記本体の右端には蓋板がヒンジを介して連結され、前記収納空間の下壁には環状のレールが設けられ、前記レールの頂部には複数の移動台が摺動可能に設けられ、前記移動台は前記レールに沿って前記収納空間の中で環状運動を行い、前記移動台の頂部には固定台が固定的に設けられ、前記固定台の上端には看板固定機構が設けられ、前記看板固定機構にはＬＥＤ看板が取り付けられ、前記収納空間の下壁には旋転プーリが回動可能に連結され、前記旋転プーリは四方に配列され、前記旋転プーリには旋転ベルトが伝動可能に連結され、前記旋転ベルトは前記レールと前記旋転プーリとの間に位置し、前記旋転プーリにおいて前記レールに近接する側には連結棒が設けられ、前記連結棒は前記移動台と固定的に連結され、前記収納空間の上壁内部には第一モータが固定的に設けられ、前記第一モータの底部は駆動軸と伝動可能に連結され、前記駆動軸は一つの前記旋転プーリと伝動可能に連結され、前記収納空間の上壁内部には展示空間が設けられ、前記展示空間の左壁には外部と連通する展示区が設けられ、ＬＥＤ看板が前記展示区で展示され、前記展示空間の中には昇降機構が設けられ、前記昇降機構は前記看板固定機構を昇降させられ、前記収納空間の底部にはプーリ空間が設けられ、前記プーリ空間の下側にはスプライン空間が設けられ、前記スプライン空間の下側には離合空間が設けられ、前記プーリ空間の右側には伝動空間が前記プーリ空間と連通になるように設けられ、前記伝動空間の中にはセルフロック機構が設けられ、前記本体の底部には移動機構が左右対称になるように設けられ、前記離合空間の中には前記移動機構の動力伝達を離合制御できる離合機構が設けられている。
【０００６】
上記技術的解決策の上で、前記蓋板の中には左方に開口する蓋板セルフロック空間が設けられ、前記蓋板セルフロック空間の上側には蓋板錠前空間が前記蓋板セルフロック空間と連通になるように設けられている。
【０００７】
上記技術的解決策の上で、前記固定台の中において前記旋転ベルトから離れた側には上方に開口する第一始動空間が設けられ、前記第一始動空間の下壁には第一圧縮ばねが固定され、前記第一圧縮ばねの上端には第一始動ブロックが固定され、前記固定台の中において前記旋転ベルトに近接する側には上方に開口する第二始動空間が設けられ、前記第二始動空間の下壁には第二圧縮ばねが固定され、前記第二圧縮ばねは前記第一圧縮ばねより弾性が弱く、前記第二圧縮ばねの上端には磁性を帯びた第二始動ブロックが固定され、前記第二始動ブロックの底面には牽引縄が固定され、前記牽引縄の他端は前記第一始動ブロックの底部に固定的に連結され、前記第二始動空間の頂部には第一セルフロック棒と第二セルフロック棒とが対称になるように設けられ、前記第一セルフロック棒と前記第二セルフロック棒との下端は前記固定台の上面とヒンジを介して連結され、前記第一セルフロック棒と前記第二セルフロック棒との下端にはいずれもセルフロック磁石が固定され、前記第一セルフロック棒と前記第二セルフロック棒とは引張ばねによって連結され、前記第一セルフロック棒と前記第二セルフロック棒とは前記引張ばねの牽引力により内側へ寄り、前記第一セルフロック棒と前記第二セルフロック棒との上端にはいずれもセルフロックヘッドが固定されている。
【０００８】
上記技術的解決策の上で、前記昇降機構は昇降空間と第二モータとを含み、前記昇降空間は底部が前記展示空間と連通しており、前記第二モータは前記昇降空間の上壁内部に固定的に嵌め込まれ、前記第二モータの下端には昇降軸が伝動可能に連結され、前記昇降軸の外面には昇降スライダがネジ山を介して連結され、前記昇降スライダは前記昇降空間と摺動可能に連結され、前記昇降スライダの頂部には引戻しばねが固定され、前記引戻しばねの頂部は前記昇降空間の上壁と固定的に連結され、前記第二モータが正回転すると、前記昇降スライダは自重により降下し、前記第二モータが逆回転すると、前記昇降スライダは前記引戻しばねの牽引力により上昇し、前記昇降スライダの下端には固定ブロックが固定され、前記固定ブロックの中には外方に開口する伸縮空間が左右対称になるように設けられ、前記伸縮空間の内壁には吸引電磁石が固定され、前記伸縮空間において前記吸引電磁石から離れた側には磁性を帯びた伸縮ブロックが摺動可能に連結され、前記吸引電磁石と前記伸縮ブロックとは伸縮ばねによって固定的に連結されている。
【０００９】
上記技術的解決策の上で、前記看板固定機構は看板固定本体を含み、前記看板固定本体において前記旋転ベルトから離れた側の端面の中には取付空間が設けられ、前記看板固定本体の中には固定空間が設けられ、前記固定空間の上壁内部には上方に開口する連通空間が設けられ、前記固定空間の内壁には固定磁石が対称になるように固定的に設けられ、前記固定磁石は前記伸縮ブロックを吸引することで前記伸縮ブロックを外側へ運動させて固定し、前記固定空間の下側には妨害板空間が設けられ、前記看板固定本体の下端には下方に開口するセルフロック空間が設けられ、前記セルフロック空間の内壁には錠前空間が対称になるように設けられ、はじめに前記看板固定本体は前記セルフロックヘッドにより前記固定台にセルフロックされ、前記固定空間と前記セルフロック空間とはコンロッド空間によって連通され、前記コンロッド空間は前記妨害板空間を貫通しており、前記コンロッド空間の中には上下方向に延在する第一コンロッドが摺動可能に連結され、前記妨害板空間の中には前記第一コンロッドと固定的に連結された妨害板が設けられ、前記妨害板の下端には妨害板圧縮ばねが固定され、前記妨害板圧縮ばねの下端は前記妨害板空間の下壁に固定されている。
【００１０】
上記技術的解決策の上で、前記セルフロック機構は第一従動軸、第二プーリ、第二従動軸、第一傘歯車、第二傘歯車、遠心輪を含み、前記第一従動軸の上端は前記伝動空間の頂部と回動可能に連結され、前記第二プーリは前記第一従動軸と固定的に連結され、前記プーリ空間の中には第一プーリが回動可能に連結され、前記第一プーリの上端は一つの前記旋転プーリと伝動可能に連結され、前記第一プーリと前記第二プーリとは第一ベルトによって伝動可能に連結され、前記第一傘歯車は前記第一従動軸と固定的に連結され且つ前記第二プーリの下側に位置し、前記第二従動軸の右端は前記伝動空間の右壁と回動可能に連結され、前記第二傘歯車は前記第二従動軸と固定的に連結され且つ前記第一傘歯車と噛み合い、前記遠心輪は前記第二従動軸と固定的に連結され且つ前記第二傘歯車の右側に位置し、前記遠心輪の中には複数の外方に開口する遠心空間が前記第二従動軸を中心に円周方向に配列され、前記遠心空間の内壁には遠心引張ばねが固定され、前記遠心引張ばねは他端に遠心ブロックが固定され、前記遠心輪が回転すると、前記遠心ブロックは遠心力により外側へ運動し、前記伝動空間の上側には右方に延在する推動空間が前記伝動空間と連通になるように設けられ、前記推動空間は右方に開口し、前記推動空間の中には右方に延在する蓋板セルフロック棒が設けられ、前記蓋板セルフロック棒の右端には蓋板錠前が固定され、前記推動空間の中には前記蓋板セルフロック棒を貫通する位置制限軸が固定され、前記位置制限軸は前記蓋板セルフロック棒と摺動可能に連結されている。
【００１１】
上記技術的解決策の上で、前記離合機構はスプライン筒、第三従動軸、第一摩擦盤、圧迫盤、第四従動軸、第二摩擦盤、第三プーリ、第四プーリを含み、前記スプライン筒は前記スプライン空間の中に位置し且つ上端が前記第一プーリの底面と固定的に連結され、前記第三従動軸の上端は前記スプライン筒とスプラインを介して連結され、前記第三従動軸が前記第一プーリの回転による動力を伝達すると同時に上下移動でき、前記第三従動軸の上端には離合引張ばねが固定され、前記離合引張ばねは他端が前記スプライン筒と固定され、前記第一摩擦盤は前記第三従動軸の下端に固定され、前記圧迫盤は前記第一摩擦盤の上側に位置し且つ前記第三従動軸と回動可能に連結され、前記圧迫盤の上端には圧迫盤引張ばねが固定され、前記圧迫盤引張ばねは上端が前記離合空間の上壁と固定的に連結され、前記圧迫盤の上端には環状の離合磁石が固定され、前記離合空間の上壁には前記離合磁石と対向する離合電磁石が固定的に設けられ、前記第四従動軸は前記離合空間の下壁と回動可能に連結され、前記第二摩擦盤は前記第四従動軸の上端に固定され、前記離合電磁石を作動させることで、前記圧迫盤は排斥力により前記第一摩擦盤を降下させられ、前記第一摩擦盤が前記第二摩擦盤と接触することで伝動でき、前記第三プーリは前記第二摩擦盤の下側に位置し且つ前記第四従動軸と固定的に連結され、前記第四プーリは前記第三プーリの下側に位置し且つ前記第四従動軸と固定的に連結されている。
【００１２】
上記技術的解決策の上で、前記離合空間の左壁内部には左方に延在する第一移動プーリ空間が前記離合空間と連通になるように設けられ、前記離合空間の右壁内部には右方に延在する第二移動プーリ空間が前記離合空間と連通になるように設けられ、前記第一移動プーリ空間の中には第五プーリが回動可能に連結され、前記第二移動プーリ空間の中には第六プーリが回動可能に連結され、前記第五プーリと前記第三プーリとは第二ベルトによって伝動可能に連結され、前記第六プーリと前記第四プーリとは第三ベルトによって伝動可能に連結されている。
【００１３】
上記技術的解決策の上で、前記移動機構は移動セルフロック空間と固定板空間とを含み、前記固定板空間は前記移動セルフロック空間の下側に位置し、前記移動セルフロック空間の中には移動昇降ブロックが設けられ、前記移動セルフロック空間の上壁内部には上下方向に延在する第六従動軸が回動可能に連結され、左側の前記第六従動軸は上端が前記第五プーリの底面と固定的に連結され、右側の前記第六従動軸は上端が前記第六プーリの底面と固定的に連結され、前記第六従動軸の底部には前記移動昇降ブロックがネジ山を介して連結され、前記移動昇降ブロックの上面には移動引張ばねが固定され、前記移動引張ばねの上端は前記移動セルフロック空間の上壁と固定され、前記移動昇降ブロックの自重により、前記第六従動軸が正回転すると前記移動昇降ブロックを降下させられ、前記移動引張ばねの牽引力により、前記第六従動軸が逆回転すると前記移動昇降ブロックを上昇させられ、前記移動昇降ブロックの下端には昇降板が固定され、前記昇降板の底部には昇降棒が左右対称になるように固定され、前記昇降棒には摩擦ブロックが固定され、前記摩擦ブロックは輪と接触したらセルフロックができ、前記移動セルフロック空間の中にはセンサが対称になるように固定され、前記センサは前記昇降棒の下側に位置し、前記昇降棒が前記センサと接触したら、前記離合電磁石は止め、前記離合機構は伝動しなく、前記移動機構はロック状態を保ち、前記固定板空間の中には固定板が固定され、前記固定板の下側には固定棒が固定され、前記固定棒には前記輪が回動可能に連結され、前記輪の頂部は前記移動セルフロック空間の中に位置する。
【発明の効果】
【００１４】
本発明は以下のプラス効果を有する：本願発明はシンプルな構成と簡単な操作方法を有し、一度に多数のＬＥＤ看板を取り付けられ、後続の使用において二度目の取り付けが要らず、コストを下げると同時に安全問題を抑えられ、また、モータが作動する中で、蓋板と移動装置とは自動的にロックするため、作業員の誤操作による安全問題を避けられ、さらに、輪を解錠することで本願発明を移動させて展示位置を変えられ、機敏性とコストパフォマンスとを向上させ、他にも、ＬＥＤ看板は展示される中、本願発明の内部に位置するため、損傷を抑え、寿命を延ばせる。
【図面の簡単な説明】
【００１５】
下記に図１〜５を合わせて本発明について詳しく説明し、便利に説明するために、本願に記載の各方向を以下のように規定する：図１は本願発明の正面図であり、本願に記載の各方向は、図１における観察方向に基づくものである。
【００１６】
【図１】図１は本願発明の全体構成略図
【図２】図２は図１におけるＡ―Ａ方向からの断面構成略図
【図３】図３は図１における第二始動ブロックの拡大構成略図
【図４】図４は図１における第二傘歯車の拡大構成略図
【図５】図５は図１における第三従動軸の拡大構成略図
【発明を実施するための形態】
【００１７】
図１〜５を参照し、本願に記載のＬＥＤ看板の展示装置は、本体１０を含み、前記本体１０の中には収納空間１４が設けられ、前記収納空間１４の右壁内部には右方に開口する開口溝１８が形成され、前記開口溝１８を設けることで、本願発明の修理と看板の取付に便利を与えられ、前記本体１０の右端には蓋板５８がヒンジを介して連結され、前記収納空間１４の下壁には環状のレール１５が設けられ、前記レール１５の頂部には複数の移動台４３が摺動可能に設けられ、前記移動台４３は前記レール１５に沿って前記収納空間１４の中で環状運動を行い、前記移動台４３の頂部には固定台７３が固定的に設けられ、前記固定台７３の上端には看板固定機構が設けられ、前記看板固定機構にはＬＥＤ看板が取り付けられ、前記収納空間１４の下壁には旋転プーリ４７が回動可能に連結され、前記旋転プーリ４７は四方に配列され、前記旋転プーリ４７には旋転ベルト４６が伝動可能に連結され、前記旋転ベルト４６は前記レール１５と前記旋転プーリ４７との間に位置し、前記旋転プーリ４６において前記レール１５に近接する側には連結棒４４が設けられ、前記連結棒４４は前記移動台４３と固定的に連結され、前記収納空間１４の上壁内部には第一モータ５９が固定的に設けられ、前記第一モータ５９の底部は駆動軸６０と伝動可能に連結され、前記駆動軸６０は一つの前記旋転プーリ４７と伝動可能に連結され、前記収納空間１４の上壁内部には展示空間１３が設けられ、前記展示空間１３の左壁には外部と連通する展示区７１が設けられ、ＬＥＤ看板が前記展示区７１で展示され、前記展示空間１３の中には昇降機構が設けられ、前記昇降機構は前記看板固定機構を昇降させられ、前記収納空間１４の底部にはプーリ空間３０が設けられ、前記プーリ空間３０の下側にはスプライン空間１０５が設けられ、前記スプライン空間１０５の下側には離合空間３１が設けられ、前記プーリ空間３０の右側には伝動空間２９が前記プーリ空間３０と連通になるように設けられ、前記伝動空間２９の中にはセルフロック機構が設けられ、前記本体１０の底部には移動機構が左右対称になるように設けられ、前記離合空間３１の中には前記移動機構の動力伝達を離合制御できる離合機構が設けられている。
【００１８】
前記蓋板５８の中には左方に開口する蓋板セルフロック空間７６が設けられ、前記蓋板セルフロック空間７６の上側には蓋板錠前空間１０７が前記蓋板セルフロック空間７６と連通になるように設けられ、作業時に前記蓋板５８のセルフロックを果たせる。
【００１９】
前記固定台７３の中において前記旋転ベルト４６から離れた側には上方に開口する第一始動空間２５が設けられ、前記第一始動空間２５の下壁には第一圧縮ばね６９が固定され、前記第一圧縮ばね６９の上端には第一始動ブロック６８が固定され、前記固定台７３の中において前記旋転ベルト４６に近接する側には上方に開口する第二始動空間２４が設けられ、前記第二始動空間２４の下壁には第二圧縮ばね７２が固定され、前記第二圧縮ばね７２は前記第一圧縮ばね６９より弾性が弱く、前記第二圧縮ばね７２の上端には磁性を帯びた第二始動ブロック７５が固定され、前記第二始動ブロック７５の底面には牽引縄７０が固定され、前記牽引縄７０の他端は前記第一始動ブロック６８の底部に固定的に連結され、前記第二始動空間２４の頂部には第一セルフロック棒６６と第二セルフロック棒１０２とが対称になるように設けられ、前記第一セルフロック棒６６と前記第二セルフロック棒１０２との下端は前記固定台７３の上面とヒンジを介して連結され、前記第一セルフロック棒６６と前記第二セルフロック棒１０２との下端にはいずれもセルフロック磁石６７が固定され、前記第一セルフロック棒６６と前記第二セルフロック棒１０２とは引張ばね６５によって連結され、前記第一セルフロック棒６６と前記第二セルフロック棒１０２とは前記引張ばね６５の牽引力により内側へ寄り、前記第一セルフロック棒６６と前記第二セルフロック棒１０２との上端にはいずれもセルフロックヘッド１０３が固定されている。  
【００２０】
前記昇降機構は昇降空間１１と第二モータ３４とを含み、前記昇降空間１１は底部が前記展示空間１３と連通しており、前記第二モータ３４は前記昇降空間１１の上壁内部に固定的に嵌め込まれ、前記第二モータ３４の下端には昇降軸３７が伝動可能に連結され、前記昇降軸３７の外面には昇降スライダ３７がネジ山を介して連結され、前記昇降スライダ３７は前記昇降空間１１と摺動可能に連結され、前記昇降スライダ３７の頂部には引戻しばね３５が固定され、前記引戻しばね３５の頂部は前記昇降空間１１の上壁と固定的に連結され、前記第二モータ３４が正回転すると、前記昇降スライダ３７は自重により降下し、前記第二モータ３４が逆回転すると、前記昇降スライダ３７は前記引戻しばね３５の牽引力により上昇し、前記昇降スライダ３７の下端には固定ブロック３８が固定され、前記固定ブロック３８の中には外方に開口する伸縮空間１２が左右対称になるように設けられ、前記伸縮空間１２の内壁には吸引電磁石４０が固定され、前記伸縮空間１２において前記吸引電磁石４０から離れた側には磁性を帯びた伸縮ブロック３９が摺動可能に連結され、前記吸引電磁石４０と前記伸縮ブロック３９とは伸縮ばね４１によって固定的に連結されている。
【００２１】
前記看板固定機構は看板固定本体６２を含み、前記看板固定本体６２において前記旋転ベルト４６から離れた側の端面の中には取付空間２６が設けられ、前記看板固定本体６２の中には固定空間２０が設けられ、前記固定空間２０の上壁内部には上方に開口する連通空間１９が設けられ、前記固定空間２０の内壁には固定磁石４２が対称になるように固定的に設けられ、前記固定磁石４２は前記伸縮ブロック３９を吸引することで前記伸縮ブロック３９を外側へ運動させて固定し、前記固定空間２０の下側には妨害板空間２２が設けられ、前記看板固定本体６２の下端には下方に開口するセルフロック空間２３が設けられ、前記セルフロック空間２３の内壁には錠前空間１０４が対称になるように設けられ、はじめに前記看板固定本体６２は前記セルフロックヘッド１０３により前記固定台７３にセルフロックされ、前記固定空間２０と前記セルフロック空間２３とはコンロッド空間２１によって連通され、前記コンロッド空間２１は前記妨害板空間２２を貫通しており、前記コンロッド空間２１の中には上下方向に延在する第一コンロッド６１が摺動可能に連結され、前記妨害板空間２２の中には前記第一コンロッド６１と固定的に連結された妨害板６３が設けられ、前記妨害板６３の下端には妨害板圧縮ばね６４が固定され、前記妨害板圧縮ばね６４の下端は前記妨害板空間２２の下壁に固定されている。
【００２２】
前記セルフロック機構は第一従動軸８５、第二プーリ８４、第二従動軸８２、第一傘歯車８３、第二傘歯車８１、遠心輪１０１を含み、前記第一従動軸８５の上端は前記伝動空間２９の頂部と回動可能に連結され、前記第二プーリ８４は前記第一従動軸８５と固定的に連結され、前記プーリ空間３０の中には第一プーリ８６が回動可能に連結され、前記第一プーリ８６の上端は一つの前記旋転プーリ４７と伝動可能に連結され、前記第一プーリ８６と前記第二プーリ８４とは第一ベルト７４によって伝動可能に連結され、前記第一傘歯車８３は前記第一従動軸８５と固定的に連結され且つ前記第二プーリ８４の下側に位置し、前記第二従動軸８２の右端は前記伝動空間２９の右壁と回動可能に連結され、前記第二傘歯車８１は前記第二従動軸８２と固定的に連結され且つ前記第一傘歯車８３と噛み合い、前記遠心輪１０１は前記第二従動軸８２と固定的に連結され且つ前記第二傘歯車８１の右側に位置し、前記遠心輪１０１の中には複数の外方に開口する遠心空間８０が前記第二従動軸８２を中心に円周方向に配列され、前記遠心空間８０の内壁には遠心引張ばね７９が固定され、前記遠心引張ばね７９は他端に遠心ブロック７８が固定され、前記遠心輪８１が回転すると、前記遠心ブロック７８は遠心力により外側へ運動し、前記伝動空間２９の上側には右方に延在する推動空間２７が前記伝動空間２９と連通になるように設けられ、前記推動空間２７は右方に開口し、前記推動空間２７の中には右方に延在する蓋板セルフロック棒７７が設けられ、前記蓋板セルフロック棒７７の右端には蓋板錠前１０６が固定され、前記推動空間２７の中には前記蓋板セルフロック棒７７を貫通する位置制限軸７６が固定され、前記位置制限軸７６は前記蓋板セルフロック棒７７と摺動可能に連結され、前記蓋板セルフロック７７を制限して上下にしか動かさせなく、前記遠心ブロック７８が外側へ運動すると、前記蓋板セルフロック棒７７は押されて上昇し、前記蓋板錠前１０６を前記蓋板錠前空間１０７に入らせ、即ち前記蓋板５８のセルフロックを可能にする。
【００２３】
前記離合機構はスプライン筒４５、第三従動軸８８、第一摩擦盤９８、圧迫盤９１、第四従動軸９５、第二摩擦盤９２、第三プーリ９７、第四プーリ９３を含み、前記スプライン筒４５は前記スプライン空間１０５の中に位置し且つ上端が前記第一プーリ８６の底面と固定的に連結され、前記第三従動軸８８の上端は前記スプライン筒４５とスプラインを介して連結され、前記第三従動軸８８が前記第一プーリ８６の回転による動力を伝達すると同時に上下移動でき、前記第三従動軸８８の上端には離合引張ばね９４が固定され、前記離合引張ばね９４は他端が前記スプライン筒４５と固定され、前記第一摩擦盤９８は前記第三従動軸８８の下端に固定され、前記圧迫盤９１は前記第一摩擦盤９８の上側に位置し且つ前記第三従動軸８８と回動可能に連結され、前記圧迫盤９１の上端には圧迫盤引張ばね９９が固定され、前記圧迫盤引張ばね９９は上端が前記離合空間３１の上壁と固定的に連結され、前記圧迫盤９１の上端には環状の離合磁石９０が固定され、前記離合空間３１の上壁には前記離合磁石９０と対向する離合電磁石８９が固定的に設けられ、前記第四従動軸９５は前記離合空間３１の下壁と回動可能に連結され、前記第二摩擦盤９２は前記第四従動軸９５の上端に固定され、前記離合電磁石８９を作動させることで、前記圧迫盤９１は排斥力により前記第一摩擦盤９８を降下させられ、前記第一摩擦盤９８が前記第二摩擦盤９２と接触することで伝動でき、前記第三プーリ９７は前記第二摩擦盤９２の下側に位置し且つ前記第四従動軸９５と固定的に連結され、前記第四プーリ９３は前記第三プーリ９７の下側に位置し且つ前記第四従動軸９５と固定的に連結されている。
【００２４】
前記離合空間３１の左壁内部には左方に延在する第一移動プーリ空間３３が前記離合空間３１と連通になるように設けられ、前記離合空間３１の右壁内部には右方に延在する第二移動プーリ空間３２が前記離合空間３１と連通になるように設けられ、前記第一移動プーリ空間３３の中には第五プーリ１０８が回動可能に連結され、前記第二移動プーリ空間３２の中には第六プーリ８７が回動可能に連結され、前記第五プーリ１０８と前記第三プーリ９７とは第二ベルト９６によって伝動可能に連結され、前記第六プーリ８７と前記第四プーリ９３とは第三ベルト１００によって伝動可能に連結され、前記第一移動プーリ空間３３の上壁には第五従動軸１０９が回動可能に連結され、前記第五従動軸１０９は前記第五プーリ１０８と固定的に連結され且つ下方へ前記移動機構に延在し、前記第二移動プーリ空間３２の上壁には第六従動軸４９が回動可能に連結され、前記第六従動軸４９は前記第六プーリ８７と固定的に連結され且つ下方へ前記移動機構に延在する。
【００２５】
前記移動機構は移動セルフロック空間１７と固定板空間１６とを含み、前記固定板空間１６は前記移動セルフロック空間１７の下側に位置し、前記移動セルフロック空間１７の中には移動昇降ブロック５０が設けられ、前記移動セルフロック空間１７の上壁内部には上下方向に延在する第六従動軸４９が回動可能に連結され、左側の前記第六従動軸４９は上端が前記第五プーリ１０８の底面と固定的に連結され、右側の前記第六従動軸４９は上端が前記第六プーリ８７の底面と固定的に連結され、前記第六従動軸４９の底部には前記移動昇降ブロック５０がネジ山を介して連結され、前記移動昇降ブロック５０の上面には移動引張ばね４８が固定され、前記移動引張ばね４８の上端は前記移動セルフロック空間１７の上壁と固定され、前記移動昇降ブロック５０の自重により、前記第六従動軸４９が正回転すると前記移動昇降ブロック５０を降下させられ、前記移動引張ばね４８の牽引力により、前記第六従動軸４９が逆回転すると前記移動昇降ブロック５０を上昇させられ、前記移動昇降ブロック５０の下端には昇降板５１が固定され、前記昇降板５１の底部には昇降棒５２が左右対称になるように固定され、前記昇降棒５２には摩擦ブロック５３が固定され、前記摩擦ブロック５３は輪５７と接触したらセルフロックができ、前記移動セルフロック空間１７の中にはセンサ５４が対称になるように固定され、前記センサ５４は前記昇降棒５２の下側に位置し、前記昇降棒５２が前記センサ５４と接触したら、前記離合電磁石８９は止め、前記離合機構は伝動しなく、前記移動機構はロック状態を保ち、前記固定板空間１６の中には固定板５５が固定され、前記固定板５５の下側には固定棒５６が固定され、前記固定棒５６には前記輪５７が回動可能に連結され、前記輪５７の頂部は前記移動セルフロック空間１７の中に位置する。
【００２６】
はじめに、蓋板５８を縦にすることで、推動空間７６と蓋板セルフロック空間２８とを連通させ、ここで、蓋板セルフロック棒７７の右端にある蓋板錠前１０６を蓋板セルフロック空間２８に位置させ、第一圧縮ばね６９は看板固定本体６２の重量により圧縮され、牽引縄７０が緩み、第二圧縮ばね７２により第二始動ブロック７５は押されてセルフロック空間２３に入り、且つ第二始動ブロック７５が持つ磁性はセルフロック磁石６７と排斥し合い、排斥力によりセルフロック磁石６７は第一セルフロック棒６６と第二セルフロック棒１０２とを両側へ広げさせることで、引張ばね６５を引き伸ばし、セルフロックヘッド１０３は錠前空間１０４に入り、ここで看板固定本体６２と固定台７３とはロックされ、妨害板圧縮ばね６４により、妨害板６３は連結棒６１を連動させて連結棒６１の上端を固定空間２０に入らせる。
【００２７】
本願発明の作動手順は以下の通りである。
【００２８】
１、蓋板５８を開け、看板固定本体６２の取付空間２６に展示する看板を取り付け、そして蓋板５８を閉じ、本願発明を展示位置まで押し、且つ第一モータ５９を起動して駆動軸６０を回転させることで、旋転プーリ４７は連動して回転し、旋転ベルト４６を回転させ、そして連結棒４４は連動して移動台４３をレール１５に沿って収納空間１４の中で環状回転させ、また旋転プーリ４７の回転により、第一プーリ８６とスプライン筒４５とは連動して回転し、第二プーリ８４を回転させることで、第一従動軸８５と第一傘歯車８３を回転させ、そして第二傘歯車８１と第二従動軸８２とは連動して回転し、遠心輪１０１を回転させることで、遠心ブロック７８を遠心力により外側へ運動させ、そして蓋板セルフロック棒７７は押されて上昇し、蓋板錠前１０６を蓋板錠前空間１０７に入らせて位置制限を行い、ここで蓋板５８のセルフロックはでき、外から蓋板５８を開けられない。
【００２９】
２、離合電磁石８９は第一モータ５９の作動と同時に作動し、スプライン筒４５が回転して第三従動軸８８を回転させることで、第一摩擦盤９８を回転させ、離合電磁石８９と離合磁石９０との排斥力により、圧迫盤９１は圧迫盤引張ばね９９の牽引力を抵抗して降下し、第一摩擦盤９８と第三従動軸８８とに離合引張ばね９４の牽引力を抵抗させて降下させ、且つ第二摩擦盤９２と接触させることで、第二摩擦盤９２と第四従動軸９５は連動して回転し、第三プーリ９７と第四プーリ９３とを回転させ、第三プーリ９７はさらに第二ベルト９６により伝動して第五プーリ１０８を回転させ、第四プーリ９３はさらに第三ベルト１００により伝動して第六プーリ８７を回転させ、そして第五プーリ１０８と第六プーリ８７とはそれぞれ左右の第六従動軸４９を回転させることで、移動昇降ブロック５０を自重により降下させ、そして昇降板５１と昇降棒５２と摩擦ブロック５３は連動して降下し、摩擦ブロック５３はさらに輪５７と接触し、輪５７をロックし、摩擦ブロック５３が下方へ移動セルフロック空間１７の底面と接触したら、センサ５４は発信し、離合電磁石８９は止め、圧迫盤引張ばね９９の牽引力により、圧迫盤９１は上昇し、離合引張ばね９４により、第三従動軸８８は上昇し、第一摩擦盤９８を上昇させ、そして第一摩擦盤９８は第二摩擦盤９２から離脱し、第二摩擦盤９２は回転を止める。
【００３０】
３、展示要りの看板を決定したら、第一モータ５９を止め、第二モータ３４を作動させて昇降軸３６を回転させることで、昇降スライダ３８を降下させ、昇降スライダ３８が固定ブロック３８を連動させて固定空間２０に入らせた後、固定磁石４２は伸縮ブロック３９を磁性により吸引し、吸引力により伸縮ブロック３９を外側へ運動させることで、看板固定本体６２を固定し、また、固定ブロック３８が固定空間２０に入った時に連結棒６１を下方へ押し、妨害板圧縮ばね６４は圧縮され、妨害板６３は連結棒６１を連動させて降下させることで、第二始動ブロック７５は第二圧縮ばね７２の推力を抵抗して第二始動空間７２に戻り、第二圧縮ばね７２は圧縮され、引張ばね６５の牽引力により、第一セルフロック棒６６と第二セルフロック棒１０２とは内側へ運動し、看板固定本体６２と固定台７３とを解錠し、第二モータ３４が逆回転して伸縮軸３６を逆回転させ、引戻しばね３５の牽引力により、昇降スライダ３７は上昇し、固定ブロック３８を上昇させ、そして看板固定本体６２は連動して上昇し、展示空間１３に入り、第一圧縮ばね６９は第二圧縮ばね７２より弾力が強いため、第一始動ブロック６８は第一圧縮ばね６９に押されて上昇し、取付空間２６と展示区７１とが重なったら、看板展示はでき、第二モータ３４を止める。
【００３１】
４、展示ができたら、第二モータ３４を起動して昇降軸３６を回転させることで、昇降スライダ３８を降下させ、そして固定ブロック３８と看板固定本体６２とは連動して降下し、看板固定本体６２の底面と固定台７３とが接触したら、吸引電磁石４０を作動させ、吸引電磁石４０は伸縮ブロック３９を磁性により吸引し、吸引力により、伸縮ブロック３９は内側へ運動して伸縮空間１２に戻り、第二モータ３４が逆回転して伸縮軸３６を逆回転させ、引戻しばね３５の牽引力により、昇降スライダ３７は上昇し、固定ブロック３８を上昇させ、妨害板圧縮ばね６４の推力により、妨害板６３は上昇し、連結棒６１を上昇させ、第二圧縮ばね７２の推力により、第二始動ブロック７５は上昇し、第二始動ブロック７５とセルフロック磁石６７との排斥力により、セルフロック磁石６７は第一セルフロック棒６６と第二セルフロック棒１０２とを両側へ広げさせ、引張ばね６５を引き伸ばし、セルフロックヘッド１０３は錠前空間１０４に入り、看板固定本体６２と固定台７３とを再びロックにし、固定ブロック３８が初期位置に戻ったら、第二モータ３４を止め、吸引電磁石４０を止める。
【００３２】
以上の方式により、当該分野の従業員は本願発明の範囲内で作業状況に応じて様々な改変を加えることができる。
【要約】
【課題】本願はＬＥＤ看板の展示装置を開示した。
【解決手段】
本願に記載のＬＥＤ看板の展示装置は、本体を含み、前記本体の中には収納空間が設けられ、前記収納空間の右壁内部には右方に開口する開口溝が形成され、前記開口溝を設けることで、本願発明の修理と看板の取付に便利を与えられ、前記本体の右端には蓋板がヒンジを介して連結され、前記収納空間の下壁には環状のレールが設けられ、前記レールの頂部には複数の移動台が摺動可能に設けられ、前記移動台は前記レールに沿って前記収納空間の中で環状運動を行い、前記移動台の頂部には固定台が固定的に設けられ、前記固定台の上端には看板固定機構が設けられ、前記看板固定機構にはＬＥＤ看板が取り付けられている。
【選択図】図１【図１】
0006841998.tif 000002
【図２】
0006841998.tif 000003
【図３】
0006841998.tif 000004
【図４】
0006841998.tif 000005
【図５】
0006841998.tif 000006